(57)【要約】      （修正有）【課題】薬液剤を余すことなく全量使い切ることができ、薬液剤の不用意な漏出がなく、容器自体が自立し、使用時において利便性が良く衛生的で、肛門への挿入が容易に行なうことができ、肛門挿入時において直腸壁ならびに肛門管を傷つず、製造単価の低廉とコンパクト化が図れる浣腸容器を提供する。【解決手段】容器本体１０と、止栓キャップ３０で形成される浣腸容器１において、容器本体は、ボディ部１１と、ノズル部２０とを一体に成型して構成され、ボディ部は前方部にノズル部を設け、後方部に据置き面１５を設け、上下面１２は押圧板１４をボディ部横断面と略同一形状を有して溶着または粘着して成り、ノズル部は先端注出口を設けてボディ部の外周面の長手方向中央部に直交して成り、止栓キャップは着脱自在に取り付けられて成り、押圧板を上下方向から押圧することにより、ボディ部内に充填されている薬液剤を余すことなく注出する手段を採る。【選択図】図１
0003164209.tif 000002
【実用新案登録請求の範囲】
【請求項１】
押圧変形度が高い合成樹脂素材で成型される容器本体と、止栓キャップで形成される浣腸容器において、
前記容器本体は、薬液剤が充填されるボディ部と、該薬液剤が注出されるノズル部と、を一体に成型して構成され、
前記ボディ部は、前方向から後方向にかけて徐々に容積形状を大として、
前方向には、前記ノズル部を設け、
後方向には、外周面の一部を平坦面とする据え置き面を設け、
上下方向には、押圧変形度が低い押圧板をボディ部横断面と略同一形状を有して溶着または粘着して成り、
前記ノズル部は、先端部に注出口を設けて前記ボディ部の外周面の長手方向中央部に直交して成り、
前記止栓キャップは、前記ノズル部の注出口を止栓する形状を有して着脱自在に取り付けられて成り、
前記押圧板を上下方向から押圧することにより、前記ボディ部内に充填されている薬液剤を余すことなく注出することを特徴とする浣腸容器。
【請求項２】
先端部に注出口を設けた弾丸状の円筒段差部を設けると共に、曲げ変形度が低い合成樹脂素材の鞘管を前記ノズル部の先端に貫入させたことを特徴とする請求項１記載の浣腸容器。
【請求項３】
前記円筒段差部を柔軟性の高い合成樹脂素材で形成すると共に、前記ノズル部と分離且つ結合自在としたことを特徴とする請求項１または請求項２記載の浣腸容器。
【考案の詳細な説明】
【技術分野】
【０００１】
本考案は、浣腸容器内に充填されている薬液剤を余すことなく全量使い切ることができる浣腸容器に関する。
【背景技術】
【０００２】
従来の浣腸容器は、卵形やイチジク型の樹脂容器に調合された薬液剤が充填される使い捨てのディスポーザブル型の浣腸容器が一般的に普及しているが、浣腸容器のノズル部と薬液剤充填部が一体成型される構造上の理由から、充填される薬液剤を余すことなく全量使い切ることができない問題があった。
【０００３】
そこで、浣腸容器の形状を蛇腹式や、ふいご式にして浣腸容器内に充填されている薬液剤を余すことなく全量使い切ろうとする提案がなされている。例えば、薬液剤が充填される容器部を蛇腹状にした「ブロー成形方法により成形された浣腸容器」（特許文献１参照）や、薬液剤が充填される容器部をふいご式にした「浣腸容器」（特許文献２参照）ならびにＶ字状の挟み板で押圧する「浣腸器」（特許文献３参照）が提案されている。
【０００４】
また、注出ノズルの基部に蛇腹部を設けて人体の肛門に容易に挿入できる「浣腸容器」（特許文献４参照）が提案されている。
【０００５】
さらに、注出ノズルの蛇腹部に指掛け面を設けて浣腸容器内の薬液剤が不用意に漏出することを防止する「浣腸容器」（特許文献５参照）などが提案され、既に公知技術となっている。
【０００６】
しかしながら、以上のような従来型の浣腸容器においては、下記の使用上ならびに構造上の問題点が指摘されるものであった。
（a）容器本体を形成する樹脂容器が押圧変形によって充填される薬液剤を注出させる構造から、薬液剤が充填される領域全体を指で均一に押圧することができないため、充填される薬液剤を余すことなく全量使い切ることができなかった。
（b）薬液剤が充填されているボディ部を複雑な構造の蛇腹式やふいご式とするため、製造コストが割高であった。
（c）容器全体が丸みを帯びていることから、ノズル部を上に向けて自立させることができないため、機能的且つ衛生的に使用することができなかった。
（d）容器本体のボディ部が軟化性の材質であったり、伸縮自在の蛇腹式であったりするため、外部から必要以外の力が加えられた場合、肛門挿入以前において充填されている薬液剤が不用意に漏出してしまう構造であった。
（e）ノズル部の先端が細い管状であったり、ノズル部の変形度合いが小さかったりすると、肛門挿入時において直腸壁ならびに肛門管を傷つける恐れがあった。
（f）ボディ部の片側が絞られるふいご式とすると、二倍近くの容器容積が必要とされるため全体形状をコンパクトに形成することが難しかった。
【０００７】
以上の様な問題点が指摘される中、「ブロー成形方法により成形された浣腸容器」（特許文献１参照）においては、上記（a）、（b）、（d）、（e）の問題点が指摘され、特に蛇腹部の折襞の重なりと押圧力が及ばない容器内の隅部に薬液剤が残り、また蛇腹を形成するに当たり構造が複雑となるため製造コストが高いブロー成形を必要とし、その蛇腹部を肛門挿入以前に強く握り締めた場合、薬液剤が不用意に漏出することがあり、また、ノズル先端部が細いため肛門挿入時に直腸壁ならびに肛門管を傷つける可能性があるなどの問題点があるものであった。
【０００８】
また、薬液剤が充填されるボディ部をふいご式にした「浣腸容器」（特許文献２参照）においては、上記（b）、（ｄ）、（ｆ）の問題点が指摘され、特にボディ部の折り目の部分の形状を成形加工するには容器の製造コスト高が懸念され、さらに指で押圧される対向する二面の平面壁は、少なくても全体的に変形しない硬さを必要とするため、薬液剤が充填されるボディ部とノズル部の肉厚を異にしなければならず、またノズル自体が肛門挿入に関して変形する形状を有しているが、肛門挿入後に挿入角度の調整が単一方向にしかできないなどの問題点があるものだった。
【０００９】
また、ふいご式の容器本体をＶ字状の挟み板で押圧して容器本体内の薬液剤を注出する「浣腸器」（特許文献３参照）においては、上記（b）、（c）、（ｄ）、（e）、（ｆ）の問題点が指摘され、特に使用毎にＶ字状の挟み板を浣腸にセットしなければ成らず、さらにＶ字状の挟み板は浣腸器同様使い捨てしなければならず、医療用廃棄物の増大が懸念されると共に、容器の製造コスト高ならびに容器自体が単体で自立しない構造であるため浣腸使用時の利便性と衛生上において問題点を残すものであった。
【００１０】
また、「ノズルの基部に蛇腹を備えてノズルを肛門に容易に挿入できる「浣腸容器」（特
許文献４参照）においては、上記（a）、（b）、（c）、（ｄ）、（ｆ）の問題点が指摘され、特に肛門挿入時において直腸壁ならびに肛門管を傷つけない構造である以外は上記の問題点を解決するものではなかった。
【００１１】
また、ノズルの蛇腹に指掛け面を設けて容器内の薬液を不用意に漏出することを防止する「浣腸容器」（特許文献５参照）においては、上記（a）、（b）、（c）、（e）、（ｆ）の問題点が指摘され、特に肛門挿入以前において不用意な薬液剤の漏出がない構造を有している以外は上記の問題点を解決するものではなかった。
【００１２】
以上のように、上記の浣腸容器のいずれもボディ部とノズル部が同一材質で形成されているため、ボディ部とノズル部の相反して求められる押圧変形度と曲げ変形度の剛性機能を構造的に満たすことができなかった。
【００１３】
本考案者は、従来の問題点が解決されずにいる現状を鑑み、容器本体内に充填されている薬液剤を余すことなく全量使い切ることができる構造と、肛門挿入以前において薬液剤の不用意な漏出がない構造と、容器自体が自立し、使用時において利便性が良く衛生的に使用できる構造と、肛門挿入が容易に行なうことができる構造と、肛門挿入時において直腸壁ならびに肛門管を傷つけない構造と、浣腸容器の薄肉化と構造的簡素化に伴う製造単価の低廉とコンパクト化が図れる構造を押圧板と、据え置き面と、円筒段差部と、鞘管を用いることで、従来の問題点を解決することができる浣腸容器を開発し、本考案における浣腸容器の提案に至るものである。
【先行技術文献】
【特許文献】
【００１４】
【特許文献１】登録実用新案公報第３１２１９８３号
【特許文献２】登録実用新案公報第３１４９３５６号
【特許文献３】実開昭６４-９５０号公報
【特許文献４】特開２００２-３５１１９号公報
【特許文献５】特開２００２-２７２８３８号公報
【考案の概要】
【考案が解決しようとする課題】
【００１５】
本考案は、上記問題点に鑑み、容器本体内に充填されている薬液剤を余すことなく全量使い切ることができる構造と、肛門挿入以前において薬液剤の不用意な漏出がない構造と、容器自体が自立し、使用時において利便性が良く衛生的に使用できる構造と、肛門挿入が容易に行なうことができる構造と、肛門挿入時において直腸壁ならびに肛門管を傷つけない構造と、浣腸容器の薄肉化と構造的簡素化に伴う製造単価の低廉とコンパクト化が図れる構造の浣腸容器の提供を図る。
【００１６】
尚、本文中の浣腸容器における使用方向の説明に当り、前方向とは、浣腸容器本体に対してノズル部が設けられている方向とし、後方向とは、浣腸容器本体に対して据え置き面が設けられている方向とし、上下方向とは、浣腸容器本体に対して押圧板が設けられる方向とし、左右方向とは、浣腸容器本体に対してノズル部が設けられている方向と直交する方向と定義する。
【課題を解決するための手段】
【００１７】
本考案は上記目的を達成するために、押圧変形度が高い合成樹脂素材で成型される容器本体と、止栓キャップで形成される浣腸容器において、容器本体は、薬液剤が充填されるボディ部と、該薬液剤が注出されるノズル部と、を一体に成型して構成され、ボディ部は、前方向から後方向にかけて徐々に容積形状を大として、前方向には、ノズル部を設け、後方向には、外周面の一部を平坦面とする据え置き面を設け、上下方向には、押圧変形度が低い押圧板をボディ部断面と略同一形状を有して溶着または粘着して成り、ノズル部は、先端部に注出口を設けてボディ部の外周面の長手方向中央部に直交して成り、止栓キャップは、ノズル部の注出口を止栓する形状を有して着脱自在に取り付けられて成り、押圧板を上下方向から押圧することにより、ボディ部内に充填されている薬液剤を余すことなく注出する手段を採る。
【００１８】
また本考案は、先端部に注出口を設けた弾丸状の円筒段差部を設けると共に、曲げ変形度が低い合成樹脂素材の鞘管をノズル部の先端に貫入させた手段を採る。
【００１９】
また本考案は、円筒段差部を柔軟性の高い合成樹脂素材で形成すると共に、ノズル部と分離且つ結合自在とした手段を採る。
【考案の効果】
【００２０】
本考案の浣腸容器によれば、押圧変形度が低いプラスチック樹脂素材の押圧板によってボディ部が均等且つ満遍に押圧されるため、ボディ部に充填される薬液剤を余すことなく全量使い切ることができる優れた効果を奏する。
【００２１】
また、本考案の浣腸容器によれば、押圧板の幅方向の剛性よってボディ部の外周面を強く握っても準備段階や肛門挿入以前において薬液剤の不用意な漏出がない優れた効果を奏する。
【００２２】
また、本考案の浣腸容器によれば、ボディ部の後方向に外周面の一部を平坦面とする据置き面が設けられていることにより、容器自体のノズル部が上方向を向いて自立しているため、使用時においての利便性が高く、しかも衛生的に使用できる優れた効果を奏する。
【００２３】
また、本考案の浣腸容器によれば、ノズル部の先端が、弾丸状の極めて柔らかいポリエチレン樹脂素材で形成されているため、肛門挿入時において直腸壁ならびに肛門管を傷つけない優れた効果を奏する。
【００２４】
また、先端部に注出口を設けた弾丸状の円筒段差部を設けると共に、曲げ変形度が低いポリプロピレン樹脂素材の鞘管をノズル部の先端に貫入させることによって、肛門挿入が容易に行なうことができる優れた効果を奏する。
【００２５】
また、本考案の浣腸容器によれば、ボディ部とノズル部が一体的に成型され、厚みが異なることや複雑な蛇腹形状とすることなく、最低限の使用強度の薄さと押圧変形度が高いポリエチレン樹脂素材で形成することで、製造単価の低廉とコンパクト化が図れる優れた効果を奏する。
【図面の簡単な説明】
【００２６】
【図１】本考案の浣腸容器の請求項１記載の実施形態を示す説明図である。（実施例１）
【図２】本考案の浣腸容器の請求項１記載の使用状態を示す説明図である。（実施例２）
【図３】本考案の浣腸容器の請求項１記載の実施形態を示す説明図である。（実施例３）
【図４】本考案の浣腸容器の請求項１記載の使用状態の手順を示す説明図である。（実施例４）
【図５】本考案の浣腸容器の請求項２記載の実施形態を示す説明図である。（実施例５）
【図６】本考案の浣腸容器の請求項３記載の実施形態を示す説明図である。（実施例６）
【図７】本考案の浣腸容器の請求項２記載ならび請求項３記載の使用状態の手順を示す説明図である。（実施例７）
【考案を実施するための形態】
【００２７】
本考案は、容器本体内に充填されている薬液剤を余すことなく全量使い切ることができる構造と、肛門挿入以前において薬液剤の不用意な漏出がない構造と、容器自体が自立し、使用時において利便性が良く衛生的に使用できる構造と、肛門挿入が容易に行なうことができる構造と、肛門挿入時において直腸壁ならびに肛門管を傷つけない構造と、浣腸容器の薄肉化と構造的簡素化に伴う製造単価の低廉とコンパクト化が図れる構造としたことを最大の特徴とするもので、以下、実施例を図面を基に説明する。
【００２８】
尚、本実施例で示す形状ならびに寸法は、下記に述べる実施例に特に限定されるものでなく、本考案の技術的思想から逸脱しない範囲で任意に変更することができる。
【実施例１】
【００２９】
図１は、本考案の浣腸容器の請求項１記載の実施形態を示す説明図である。
図（ａ）は、全体斜視図を示し、図（ｂ）は、拡散分解図を示す。
本考案の浣腸容器１は、薬液剤Ｃが充填されるボディ部１１と、該薬液剤Ｃが注出されるノズル部２０と、を一体に成型して構成される。
【００３０】
ボディ部１１は、前方向から後方向にかけて徐々に容積形状を大とすることで使用時に安定して据え置きすることができる。前方向にはノズル部２０を設け、後方向には外周面１３の一部を平坦面とする据え置き面１５を設け、上下方向には押圧板１４が溶着または粘着されて形成される。また、ボディ内部には、濃度５０％のグリセリン溶液が充填され、ノズル部２０に向かって徐々に縮形される構造を有する。使用される材質は、例えば極めて薄い厚みの押圧変形度の高いポリエチレン樹脂素材が使われ、薬液剤Ｃを押圧板１４で押圧することで容易に注出できる高い押圧変形度を有し、且つ身体の向きに合わせて容器本体１０を微妙に調整することができる柔軟性を併せ持つものである。
【００３１】
ノズル部２０は、先端部に注出口２１を設けてボディ部１１の外周面１３の長手方向中央部に直交してボディ部１１と一体に成型される。ノズルの長さは一般的な３〜５ｃｍ程度を有し、先端部は、半球状に丸みを帯びて形成される。
【００３２】
押圧板１４は、押圧変形度が低いプラスチック樹脂素材で成型され、肉厚を１ｍｍ前後としてボディ部にその横断面と略同一形状を有して溶着または粘着されて設けられる。平面または中央が円弧状に膨出してボディ部１１の形状に合わせて形成され、最大限に押圧されてボディ部１１の上下面１２が密着して合わさった時、充填されている薬液剤Ｃが余すことなく全量注出する形状を有する。
【００３３】
以上で構成される浣腸容器１は、図示されるように容器本体１０の形状が極めてシンプルでコンパクトである上、製造コストも低廉で使い易いもので、また押圧板１４でボディ部１１全体を均等に押圧することによって、充填される薬液剤Ｃを余すことなく全量注出することができるもので本考案の最大の特徴となる構造を有する。
【実施例２】
【００３４】
図２は、本考案の浣腸容器の請求項１記載の使用状態を示す説明図である。
浣腸容器１のボディ部１１の外周部１３を把持する状態を示すもので、容器本体１０のボディ部１１の外周面１３（側面）は、指で強く把持しても押圧変形に影響を及ぼさないため、容器本体１０を肛門に挿入する際や、準備段階での薬液剤Ｃが不用意に漏出しない構造となっている。
【００３５】
また、容器本体１０を肛門に挿入する際や、準備段階で容器本体を自立していることでテーブル面にノズル部２０の先端部が接触しないため衛生的であることや、容器本体１０を肛門に挿入する際に容易に取り上げることができるものである。
【実施例３】
【００３６】
図３は、本考案の浣腸容器の請求項１記載の実施形態を示す説明図である。
容器本体１０をテーブル面などに据え置いた状態を示すもので、外周面１３の一部を平坦面とすることによって、使用時において自立した状態で一時保管できるなどの利便性を持ち、しかもノズルの先端がテーブル面などに直接接触しないため衛生的に使用できるものである。
【００３７】
据え置き面１５は、ボディ部１１の後方部に外周面１３の一部を平坦面として設けて容器本体１０が自立する目的で設けられるものである。外周面１３の一部を平坦面とすることによって、使用時において一時保管できるなどの利便性を持ち、しかもノズルの先端がテーブル面などに直接接触しないため衛生的に使用できる形状を有し、さらにボディ部１１が、前方向から後方向にかけて徐々に容積形状を大として形成されるため容器本体１０は安定して自立することができる。
【実施例４】
【００３８】
図４は、本考案の浣腸容器の請求項１記載の使用状態の手順を示す説明図である。
（１）容器本体１０から止栓キャップ３０を外して肛門近くに宛がう。
（２）容器本体１０のボディ部１１の外周面１３（側面）を把持する。
その際、指で強く把持してもボディ部１１の押圧変形に影響を及ぼさないため、容器本体１０を肛門に挿入する際や、準備段階での薬液剤Ｃが不用意に漏出しない。
（３）容器本体１０を肛門に挿入した後、ボディ部１１を押圧して薬液剤Ｃを注出する。
指で上下方向から押圧された押圧板１４は、ボディ部１１全体を均等に押圧しながら薬液剤Ｃを注出し、ボディ部１１の内壁が合わさった後、さらに中央が円弧状に膨出している部分が平坦になるまで押圧し続けることによって、ボディ部１１内の薬液剤Ｃをボディ内部から余すことなく全量注出することができる。
【実施例５】
【００３９】
図５は、本考案の浣腸容器の請求項２記載の実施形態を示す説明図である。
本考案の浣腸容器１は、先端部に注出口２１を設けた弾丸状の円筒段差部２２を設けると共に、曲げ変形度が低いポリプロピレン樹脂素材の鞘管３１をノズル部２０の先端に貫入させる構造を有する。
【００４０】
円筒段差部２２は、先端部に注出口２１を設け、先端形状を弾丸状に形成してノズル部２０の先端に円筒段差を有して一体に成型されて設けられる。また先端形状がピストルの弾丸状であるため、肛門挿入時に直腸壁Ｔや肛門管Ｋを傷つけることなくソフトに挿入できる構造を有する。
【００４１】
鞘管３１は、ノズル部２０の円筒段差部２２から基部２３にかけて容器本体１０と曲げ変形度を大にして貫入される。容器本体１０は曲げ変形度が低いポリプロピレン樹脂素材の合成樹脂素材で成型することができる。
【００４２】
図（ａ）は、容器本体のノズル部に鞘管を貫入する前の状態を示す説明図である。
本考案の浣腸容器１のノズル部２０の先端に円筒段差部２２を設け、その先端部から鞘管３１を貫入させるものである。
【００４３】
図（ｂ）は、容器本体のノズル部に鞘管を貫入させた状態を示す説明図である。
容器本体１０のノズル部２０に鞘管３１を貫入させて曲げ変形度を低くすることによって、ノズル部２０を肛門挿入時の直腸壁Ｔや肛門管Ｋに傷をつけない適度な柔軟性を持たせることができる。
【００４４】
図（ｃ）は、容器本体のノズル部に鞘管を嵌め込んで使用状態を示す説明図である。
ノズル部２０を肛門に挿入する際に、容器本体１０が軟質で薄手の合成樹脂素材で成型することで、身体の向きや、挿入感覚に合わせて容器本体１０を微妙に調整することができることと、鞘管の曲げ変形度を低くすることで肛門挿入時に直腸壁Ｔや肛門管Ｋに傷をつけないでソフトに挿入することができる両方の目的を果たすことができる。
【実施例６】
【００４５】
図６は、本考案の浣腸容器の請求項３記載の実施形態を示す説明図である。
円筒段差部２２を曲げ変形度が低いポリプロピレン樹脂素材で形成すると共に、ノズル部２０と分離且つ結合自在としたものである。
【００４６】
図（ａ）は、容器本体のノズル部に円筒段差部を装着する前の状態を示す説明図である。
図（ｂ）は、容器本体のノズル部に円筒段差部を装着した後の状態を示す説明図である。
円筒段差部２２は単体で製造され、その後ノズル部２０の先端に連結部２４を介して溶着または嵌め合いまたは固着されて結合される。材質は、肛門挿入時に直腸壁Ｔや肛門管Ｋに傷をつけないでソフトに挿入することができる柔軟性の高いポリエチレン樹脂素材で形成される。
【実施例７】
【００４７】
図７は、本考案の浣腸容器の請求項２記載ならび請求項３記載の使用状態の手順を示す説明図である。
（１）容器本体１０から止栓キャップ３０を外して肛門近くに宛がう。
（２）容器本体１０のボディ部１１の外周面１３（側面）を把持する。
その際、ボディ部１１を指で強く把持しても押圧変形に影響を及ぼさないため、容器本体１０を肛門に挿入する際や、薬液剤Ｃが準備段階で不用意に漏出しない構造となっている。また差し込まれた容器本体１０のノズル部２０を身体の向きや、挿入感覚に合わせて適宜に微調整しながらボディ部１１の外周面１３の底面１５を指で押して直腸壁Ｔや肛門管Ｋに傷をつけないでソフトに挿入することができる。
（３）肛門に挿入して容器本体１０のボディ部１１を押圧して薬液剤Ｃを注出する。
指で上下方向から押圧された押圧板１４は、ボディ部１１全体を均等に押圧しながら薬液剤Ｃを注出し、ボディ部１１の内壁が合わさった後、さらに中央が円弧状に膨出している部分が平坦になるまで指で押圧し続けることによって、ボディ部１１内の薬液剤Ｃを余すことなく全量注出することができる。
【産業上の利用可能性】
【００４８】
本考案による浣腸容器は、容器本体内に充填されている薬液剤を余すことなく全量使い切ることができる構造と、肛門挿入以前において薬液剤の不用意な漏出がない構造と、容器自体が自立し、使用時において利便性が良く衛生的に使用できる構造と、肛門挿入が容易に行なうことができる構造と、肛門挿入時において直腸壁ならびに肛門管を傷つけない構造と、浣腸容器の薄肉化と構造的簡素化に伴う製造単価の低廉とコンパクト化が図れる構造を有する従来にない多くの特徴を備えた浣腸容器を提案するもので、本考案による浣腸容器の産業上の利用可能性は極めて高いものと解する。
【符号の説明】
【００４９】
１    浣腸容器
１０  容器本体
１１  ボディ部
１２  上下面
１３  外周面
１４  押圧板
１５  据え置き面
２０  ノズル部
２１  注出口
２２  円筒段差部
２３  基部
２４  連結部
３０  止栓キャップ
３１  鞘管
Ｃ    薬液剤
Ｔ    直腸壁
Ｋ    肛門管
【図１】
0003164209.tif 000003
【図２】
0003164209.tif 000004
【図３】
0003164209.tif 000005
【図４】
0003164209.tif 000006
【図５】
0003164209.tif 000007
【図６】
0003164209.tif 000008
【図７】
0003164209.tif 000009